(57)【要約】      （修正有）【課題】時計の美観と視認性とを向上させて、多くの機能を表示させることが可能な電子時計を提供する。【解決手段】電子時計１０は、文字板１１と、文字板１１に設けられている小時計と、衛星から送信される衛星信号から現在地の位置情報と時刻情報とを算出し現地時刻を表示するワールドタイム機能と、を備え、小時計は、衛星の捕捉数が示される衛星捕捉数表示８２、衛星信号の受信結果表示８３、現地時刻の秒が示される時刻秒表示８４、の少なくとも二つの表示を備えている。【選択図】図５
2015169499.tif 000002
【特許請求の範囲】
【請求項１】
文字板と、
前記文字板に設けられている小時計と、
衛星から送信される衛星信号から現在地の位置情報と時刻情報とを算出し現地時刻を表示するワールドタイム機能と、を備え、
前記小時計は、前記衛星の捕捉数が示される衛星捕捉数表示、前記衛星信号の受信結果表示、前記現地時刻の秒が示される時刻秒表示、の少なくとも二つの表示を備えていることを特徴とする電子時計。
【請求項２】
時間を積算し表示するクロノグラフ機能を備え、
前記小時計は、前記時間の積算表示を備えていることを特徴とする請求項１に記載の電子時計。
【請求項３】
電力を蓄積する二次電池を備え、
前記小時計は、サマータイム表示、前記衛星信号の受信モード表示、前記二次電池の充電量表示、曜日表示、の少なくとも一つの表示を備えていることを特徴とする請求項１または２に記載の電子時計。
【請求項４】
前記小時計は、前記文字板の中心と９時位置とを結ぶ直線に、重なる位置に設けられていることを特徴とする請求項１から３のいずれか一項に記載の電子時計。
【請求項５】
文字板と、
前記文字板に設けられている小時計と、
衛星から送信される衛星信号から現在地の位置情報と時刻情報とを算出し現地時刻を表示するワールドタイム機能と、を備え、
前記小時計は、前記衛星の捕捉数が示される衛星捕捉数表示を含み、
前記衛星捕捉数表示は、前記小時計の外周を１２分割にする「０」から「１１」までの数字で設けられていることを特徴とする電子時計。
【請求項６】
前記小時計は、前記衛星信号の受信結果表示、前記現地時刻の秒が示される時刻秒表示、の少なくとも一つの表示を備えていることを特徴とする請求項５に記載の電子時計。
【請求項７】
時間を積算し表示するクロノグラフ機能を備え、
前記小時計は、前記時間の積算表示を備えていることを特徴とする請求項５または６に記載の電子時計。
【請求項８】
電力を蓄積する二次電池を備え、
前記小時計は、サマータイム表示、前記衛星信号の受信モード表示、前記二次電池の充電量表示、曜日表示、の少なくとも一つの表示を備えていることを特徴とする請求項５から７のいずれか一項に記載の電子時計。
【請求項９】
前記小時計は、前記文字板の中心と９時位置とを結ぶ直線に、重なる位置に設けられていることを特徴とする請求項５から８のいずれか一項に記載の電子時計。
【発明の詳細な説明】
【技術分野】
【０００１】
本発明は、電子時計に関する。
【背景技術】
【０００２】
従来、衛星信号を受信して現在地の現地時刻を表示するワールドタイム機能を備えた電子時計が知られていた。例えば、特許文献１には、地図が表示された文字板と、複数の指針とを備え、現在地と現地時刻とを表示する腕時計が開示されている。この腕時計は、ＧＰＳ（Global Positioning System：全地球測位システム）などの航法衛星からの衛星信号を受信する受信部を備え、４個の航法衛星からの信号を受信して現在地の位置情報と時刻情報とを求めて、現地時刻の表示をしている。
【先行技術文献】
【特許文献】
【０００３】
【特許文献１】特開２００９−１７５０４４号公報
【発明の概要】
【発明が解決しようとする課題】
【０００４】
しかしながら、衛星信号を利用したワールドタイム機能を備えた電子時計は、衛星信号の受信などに関する多くの機能を備えているが、腕時計型の電子時計においては表示スペースの制限により、電子時計の美観と視認性とを向上させて、多くの機能を表示させることが困難であった。
【課題を解決するための手段】
【０００５】
本発明は、上述の課題の少なくとも一部を解決するためになされたものであり、以下の形態または適用例として実現することが可能である。
【０００６】
［適用例１］本適用例に係る電子時計は、文字板と、前記文字板に設けられている小時計と、衛星から送信される衛星信号から現在地の位置情報と時刻情報とを算出し現地時刻を表示するワールドタイム機能と、を備え、前記小時計は、前記衛星の捕捉数が示される衛星捕捉数表示、前記衛星信号の受信結果表示、前記現地時刻の秒が示される時刻秒表示、の少なくとも二つの表示を備えていることを特徴とする。
【０００７】
本適用例によれば、電子時計は、衛星から送信される衛星信号を受信して現在地の位置情報と時刻情報とを算出し現地時刻を表示するワールドタイム機能を含む多くの機能を備えた腕時計である。電子時計の文字板には、電子時計の備えている複数の機能を視認性よく表示させる円状または円弧状の小時計が設けられている。電子時計は、この小時計に、衛星の捕捉数が示される衛星捕捉数表示、衛星信号の受信結果表示、現地時刻の秒が示される時刻秒表示、の少なくとも二つの表示を備えることができる。電子時計は、小時計を用いて複数の機能の表示を設けることにより、その表示の視認性と小時計を使用したデザインによる時計の美観とを両立させることができる。したがって、視認性と美観とを向上させて、多くの機能を表示させることが可能な電子時計を提供できる。
【０００８】
［適用例２］上記適用例に記載の電子時計は、時間を積算し表示するクロノグラフ機能を備え、前記小時計は、前記時間の積算表示を備えていることが好ましい。
【０００９】
本適用例によれば、電子時計は、ワールドタイム機能と、時間を積算し表示するクロノグラフ機能（ストップウォッチ機能）とを含む多くの機能を備えた腕時計である。電子時計は、小時計に、衛星捕捉数表示、受信結果表示、時刻秒表示の少なくとも二つの表示と、時間の積算表示とを備えることができる。電子時計は、小時計を用いて複数の機能の表示を設けることにより、その表示の視認性と小時計を使用したデザインによる時計の美観とを両立させることができる。したがって、視認性と美観とを向上させて、多くの機能を表示させることが可能な電子時計を提供できる。
【００１０】
［適用例３］上記適用例に記載の電子時計は、電力を蓄積する二次電池を備え、前記小時計は、サマータイム表示、前記衛星信号の受信モード表示、前記二次電池の充電量表示、曜日表示、の少なくとも一つの表示を備えていることが好ましい。
【００１１】
本適用例によれば、電子時計は、電子時計の内部または外部からの電力を蓄積する二次電池と、ワールドタイム機能を備えた腕時計である。電子時計は、小時計に、衛星捕捉数表示、受信結果表示、時刻秒表示の少なくとも二つの表示と、サマータイム表示、衛星信号の受信モード表示、二次電池の充電量表示、曜日表示、の少なくとも一つの表示とを備えることができる。また、ワールドタイム機能とクロノグラフ機能とを備えた電子時計は、小時計に、衛星捕捉数表示、受信結果表示、時刻秒表示、の少なくとも二つの表示と、サマータイム表示、受信モード表示、充電量表示、曜日表示、の少なくとも一つの表示と、積算表示とを備えることができる。電子時計は、小時計を用いて複数の機能の表示を設けることにより、その表示の視認性と小時計を使用したデザインによる時計の美観とを両立させることができる。したがって、視認性と美観とを向上させて、多くの機能を表示させることが可能な電子時計を提供できる。
【００１２】
［適用例４］上記適用例に記載の電子時計において、前記小時計は、前記文字板の中心と９時位置とを結ぶ直線に、重なる位置に設けられていることが好ましい。
【００１３】
本適用例によれば、電子時計は、文字板の外周を１２時間で表した場合の文字板の中心と９時位置とを結ぶ直線に重なる位置に、小時計を備えている。一般的に、腕時計型の電子時計は、左腕に装着されるため、視覚的に文字板の１２時位置と６時位置を結ぶ直線の３時方向の視認性が良い。通常の使用において、使用頻度の低い機能の表示を備えた小時計を、文字板の中心と９時位置とを結ぶ直線に重なる位置に配置することで、使用頻度の高い、時刻表示やカレンダー表示などの機能の表示を文字板の１２時位置と６時位置を結ぶ直線の３時方向に配置することができる。これにより、電子時計は、使用頻度の高い機能の表示を視認性の良い範囲に配置することができる。したがって、使用頻度の高い情報表示の視認性を維持して、多くの機能を表示させることが可能な電子時計を提供することができる。
【００１４】
［適用例５］本適用例に係る電子時計は、文字板と、前記文字板に設けられている小時計と、衛星から送信される衛星信号から現在地の位置情報と時刻情報とを算出し現地時刻を表示するワールドタイム機能と、を備え、前記小時計は、前記衛星の捕捉数が示される衛星捕捉数表示を含み、前記衛星捕捉数表示は、前記小時計の外周を１２分割にする「０」から「１１」までの数字で設けられていることを特徴とする。
【００１５】
本適用例によれば、電子時計は、衛星から送信される衛星信号を受信して現在地の位置情報と時刻情報とを算出し現地時刻を表示するワールドタイム機能を含む多くの機能を備えた腕時計である。電子時計の文字板には、電子時計の備えている複数の機能を視認性よく表示させる円状または円弧状の小時計が設けられている。小時計の外周には、衛星の捕捉数が示される衛星捕捉数表示が設けられている。衛星捕捉数表示は、小時計の外周を１２分割にする「０」から「１１」までの数字で設けられている。電子時計は、小時計の外周に設けられた数字を用いて、衛星の捕捉数を表すことができるので、小時計の内周に他の機能の表示を備えることができる。電子時計は、小時計を用いて複数の機能の表示を設けることにより、その表示の視認性と小時計を使用したデザインによる時計の美観とを両立させることができる。したがって、視認性と美観とを向上させて、多くの機能を表示させることが可能な電子時計を提供できる。
【００１６】
［適用例６］上記適用例に記載の電子時計において、前記小時計は、前記衛星信号の受信結果表示、前記現地時刻の秒が示される時刻秒表示、の少なくとも一つの表示を備えていることが好ましい。
【００１７】
本適用例によれば、電子時計は、小時計に、衛星捕捉数表示と、衛星信号の受信結果表示、現地時刻の秒が示される時刻秒表示、の少なくとも一つの表示とを備えることができる。電子時計は、小時計を用いて複数の機能の表示を設けることにより、その表示の視認性と小時計を使用したデザインによる時計の美観とを両立させることができる。したがって、視認性と美観とを向上させて、多くの機能を表示させることが可能な電子時計を提供できる。
【００１８】
［適用例７］上記適用例に記載の電子時計において、時間を積算し表示するクロノグラフ機能を備え、前記小時計は、前記時間の積算表示を備えていることが好ましい。
【００１９】
本適用例によれば、電子時計は、ワールドタイム機能と、時間を積算し表示するクロノグラフ機能（ストップウォッチ機能）とを含む多くの機能を備えた腕時計である。電子時計は、小時計に、衛星捕捉数表示と、受信結果表示、時刻秒表示の少なくとも一つの表示と、時間の積算表示とを備えることができる。電子時計は、小時計を用いて複数の機能の表示を設けることにより、その表示の視認性と小時計を使用したデザインによる時計の美観とを向上させることができる。したがって、視認性と美観とを両立させて、多くの機能を表示させることが可能な電子時計を提供できる。
【００２０】
［適用例８］上記適用例に記載の電子時計は、電力を蓄積する二次電池を備え、前記小時計は、サマータイム表示、前記衛星信号の受信モード表示、前記二次電池の充電量表示、曜日表示、の少なくとも一つの表示を備えていることが好ましい。
【００２１】
本適用例によれば、電子時計は、電子時計の内部または外部からの電力を蓄積する二次電池と、ワールドタイム機能を備えた腕時計である。電子時計は、小時計に、衛星捕捉数表示と、受信結果表示、時刻秒表示の少なくとも一つの表示と、サマータイム表示、衛星信号の受信モード表示、二次電池の充電量表示、曜日表示、の少なくとも一つの表示とを備えることができる。また、クロノグラフ機能を備えた電子時計は、小時計に、衛星捕捉数表示と、受信結果表示、時刻秒表示の少なくとも一つの表示と、サマータイム表示、受信モード表示、充電量表示、曜日表示、の少なくとも一つの表示と、積算表示とを備えることができる。電子時計は、小時計を用いて複数の機能の表示を設けることにより、その表示の視認性と小時計を使用したデザインによる時計の美観とを向上させることができる。したがって、視認性と美観とを両立させて、多くの機能を表示させることが可能な電子時計を提供できる。
【００２２】
［適用例９］上記適用例に記載の電子時計において、前記小時計は、前記文字板の中心と９時位置とを結ぶ直線に、重なる位置に設けられていることが好ましい。
【００２３】
本適用例によれば、電子時計は、文字板の外周を１２時間で表した場合の文字板の中心と９時位置とを結ぶ直線に重なる位置に、小時計を備えている。一般的に、腕時計型の電子時計は、左腕に装着されるため、視覚的に文字板の１２時位置と６時位置とを結ぶ直線の３時方向の視認性が良い。通常の使用において、使用頻度の低い機能の表示を備えた小時計を、文字板の中心と９時位置とを結ぶ直線に重なる位置に配置することで、使用頻度の高い、時刻表示やカレンダー表示などの機能の表示を文字板の１２時位置と６時位置とを結ぶ直線の３時方向に配置することができる。これにより、電子時計は、使用頻度の高い機能の表示を視認性の良い範囲に配置することができる。したがって、使用頻度の高い情報表示の視認性を維持して、多くの機能を表示させることが可能な電子時計を提供することができる。
【図面の簡単な説明】
【００２４】
【図１】実施形態に係る電子時計を含むＧＰＳの全体図。
【図２】電子時計の全体を示す斜視図。
【図３】電子時計の全体を示す６面図。
【図４】電子時計の概略を示す部分断面図。
【図５】電子時計の外観を示す概略平面図。
【図６】電子時計の小時計を示す概略平面図。
【図７】電子時計の電気制御ブロック図。
【発明を実施するための形態】
【００２５】
以下、本発明の実施形態について、図面を参照して説明する。なお、以下の各図においては、各層や各部材を認識可能な程度の大きさにするため、各層や各部材の尺度を実際とは異ならせている。
【００２６】
（実施形態）
本実施形態の電子時計は、ワールドタイム機能と、クロノグラフ機能と、を備えている。ワールドタイム機能とは、例えば、ＧＰＳなどの航法衛星（ＧＰＳ衛星）から送信されている衛星信号を受信して現在地の位置情報と時刻情報とを算出して現地時刻を表示するものである。クロノグラフ機能とは、時間を積算表示する所謂ストップウォッチ（ストップウオッチ）機能を備えているものである。
図１は、実施形態に係る電子時計を含むＧＰＳの全体図である。まず、電子時計が、ＧＰＳ衛星から送信される衛星信号を用いて、現在地の位置情報と、時刻情報とを求めるＧＰＳの概要を説明する。
【００２７】
電子時計１０は、ＧＰＳ衛星８からの電波（衛星信号）を受信して内部時刻を修正する腕時計であり、腕と接触する側の面（以下、裏面という）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２８】
現在、地球の上空には約３１個のＧＰＳ衛星８（図１においては、４個のみを図示）が周回しており、衛星信号がどのＧＰＳ衛星８から送信されたかを識別するために、各ＧＰＳ衛星８はＣ／Ａコード（Coarse／Acquisition Code）と呼ばれる１０２３チップ（１ｍｓ周期）の固有のパターンを衛星信号に重畳する。Ｃ／Ａコードは、各チップが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２９】
ＧＰＳ衛星８は原子時計を搭載しており、衛星信号には原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００３０】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。
すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００３１】
次に、電子時計１０の概略構成について説明する。図２は、電子時計の外観を示す斜視図であり、図３は、電子時計の外観を示す６面図である。図４は、電子時計の概略を示す部分断面図である。
【００３２】
図２および図３に示すように、電子時計１０は、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が設けられ、文字板１１には指針２１，２２，２３が備えられている。
【００３３】
文字板１１には、指針７１を備えた第１小時計７０と、指針８１を備えた第２小時計８０と、指針９１を備えた第３小時計９０およびカレンダー表示１５が設けられている。
電子時計１０は、文字板１１の外周に設けられている目盛の一周を１２時間で表した場合に、ダイヤルリング４０に表記された「ＵＴＣ」の英字を１２時位置として、第１小時計７０は文字板１１の中心より２時方向に、文字板１１の中心と３時位置とを結ぶ直線に重なる位置に設けられている。
第２小時計８０は文字板１１の中心より１０時方向に、文字板１１の中心と９時位置とを結ぶ直線に重なる位置に設けられている。第３小時計９０は文字板１１の中心より６時方向に、文字板１１の１２時位置と６時位置とを結ぶ直線に重なる位置に設けられている。カレンダー表示１５は文字板１１の中心より４時方向に設けられている。
文字板１１、指針２１，２２，２３、第１小時計７０、第２小時計８０、第３小時計９０およびカレンダー表示１５などは、カバーガラス３３を透して、視認可能となっている。
【００３４】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４およびリュウズ５０が操作されることにより、操作に応じた入力信号が出力される。
【００３５】
図４に示すように、電子時計１０は、金属製の外装ケース３０の表裏に設けられた二つの開口のうち、文字板１１が装着された表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視で文字板１１の中心を通り、表裏方向に延在する中心軸に沿って設けられている。
【００３６】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００３７】
このアンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００３８】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００３９】
文字板１１と、駆動機構１４０などが取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も備えている。文字板１１、ソーラーパネル１３５および地板１２５には、指針軸２５と、第１小時計７０の指針７１、第２小時計８０の指針８１および第３小時計９０の指針９１の指針軸（図示せず）とが貫通する穴が形成されているとともに、カレンダー表示１５の開口部が形成されている。
【００４０】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小時計７０の指針７１、第２小時計８０の指針８１および第３小時計９０の指針９１も同様の駆動機構（図示せず）を有し、各指針７１，８１，９１が駆動する。
【００４１】
回路基板１２０は、バラン１２１、受信部（ＧＰＳモジュール）１２２、制御部１５０およびリチウムイオン電池などの二次電池１３０を備えている。二次電池１３０は、ソーラーパネル１３５が発電した電力で充電され、その電力を蓄積する。これにより、電子時計１０を連続して駆動させることができる。また、この回路基板１２０とアンテナ体１１０とは、アンテナ接続ピン１１５を用い接続されている。バラン１２１は、平衡−不平衡の変換素子であり、平衡給電で作動するアンテナ体１１０からの平衡信号を、受信部１２２で扱うことができる不平衡信号に変換する。
【００４２】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されている。そして、アンテナ接続ピン１１５は地板１２５に開口された挿通孔を貫通されて収納空間内へ挿通されている。これにより、回路基板１２０と、収納空間内部のアンテナ体１１０とが、アンテナ接続ピン１１５で接続されている。
【００４３】
なお、本実施形態では、電子時計１０はソーラーパネル１３５による発電と二次電池１３０とを駆動源とするものと説明したが、一次電池方式や、他の充電方式を用いてもよい。一次電池方式を駆動源とすることで外装ケース３０内の機構を簡単にすることが可能となる。また、電磁誘導などの充電方式で蓄電する二次電池を駆動源とすることで光発電を行うには十分な光照射がない場所や電池交換が難しい場所においても、本発明の電子時計を利用することができる。
【００４４】
次に、電子時計１０の表示機能について説明する。図５は、電子時計の外観を示す概略平面図である。
本実施形態の電子時計１０は、文字板１１に、ワールドタイム機能で求められた現地時刻（内部時刻）を表示する時刻表示と、クロノグラフ機能で積算された時間が表示される積算表示とを備えている。
時刻表示とは、「時」を表す時刻時表示と、「分」を表す時刻分表示と、「秒」を表す時刻秒表示との総称である。
積算表示とは、「時」を表す積算時表示と、「分」を表す積算分表示と、「秒」を表す積算秒表示との総称である。
【００４５】
まず、文字板１１の表示機能について説明する。図５に示すように、文字板１１は、外周を６０分割にする目盛が表記された時刻分表示２４、および外周を１２分割にする目盛（バーインデックス）が表記された時刻時表示を備えている。指針２２は、時刻分表示２４を用いてワールドタイム機能で求められた現地時刻（内部時刻）の「分」を指し示す。また、指針２３は、時刻時表示を用いてワールドタイム機能で求められた現地時刻（内部時刻）の「時」を指し示す。
文字板１１の最外周は、時刻分表示２４の目盛をさらに５分割にする１／５目盛が表記された積算秒表示を備えている。指針２１は、積算秒表示を用いてクロノグラフ機能で積算された時間の「秒」を指し示す。
【００４６】
次に、第１小時計７０の表示機能について説明する。第１小時計７０は、第１小時計７０の外周を６０分割にする目盛と、１０から６０までの１０刻みの数字とが表記された積算分表示７２を備えている。指針７１は、積算分表示７２を用いてクロノグラフ機能で積算された時間の「分」を指し示す。
【００４７】
次に、第２小時計８０の表示機能について説明する。第２小時計８０は、衛星の捕捉数が示される衛星捕捉数表示８２、衛星信号の受信結果表示８３、現地時刻（内部時計）の秒が示される時刻秒表示８４を備えている。
【００４８】
衛星捕捉数表示８２は、第２小時計８０の外周に設けられている。衛星捕捉数表示８２には、外周を１２分割にする目盛と、「０」から「１１」までの数字とが表記されている。使用者がＢボタン６２を操作することにより、指針８１は、ＧＰＳ衛星８の捕捉数を「０」から「１１」までのいずれかの数字を指し示す。これにより、衛星捕捉数が表示される。
【００４９】
時刻秒表示８４は、第２小時計８０の外周に設けられている。時刻秒表示８４には、外周を６０分割にする目盛が表記されている。指針８１は、時刻秒表示８４を用いて現地時刻（内部時刻）の「秒」を指し示す。
【００５０】
受信結果表示８３は、第２小時計８０の内周に設けられている。受信結果表示８３には、時刻秒表示８４において、４５秒から６０秒までの範囲に英字の「Ｙ」表記８３ａと、３０秒から４５秒までの範囲に英字の「Ｎ」表記８３ｂとが表記されている。「Ｙ」表記８３ａと、「Ｎ」表記８３ｂとは、１５秒と４５秒とを結ぶ直線に対して線対称、かつ第２小時計８０の外周を１２分割にする目盛（長い目盛）と重ならない位置に設けられている。これにより、第２小時計８０の外周を１２分割にする目盛と、６０分割する目盛と、受信結果表示８３とを面積の狭い第２小時計８０の中に、判読性を確保しながらバランスよくレイアウトすることができる。「Ｙ」表記８３ａと、「Ｎ」表記８３ｂとの英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。
【００５１】
使用者がＢボタン６２を操作することにより、指針８１が「Ｙ」表記８３ａまたは「Ｎ」表記８３ｂのいずれか一方を指し示し、衛星信号の受信結果を表示する。また、使用者がＡボタン６１とＢボタン６２とを操作して、指針８１を「Ｙ」表記８３ａまたは「Ｎ」表記８３ｂに合わせることで、衛星信号の自動受信のＯＮ／ＯＦＦを設定することができる。
なお、本実施形態では、５２秒の位置に「Ｙ」表記８３ａが、３８秒の位置に「Ｎ」表記８３ｂが、設けられているが、これに限定されるものではない。「Ｙ」表記８３ａと「Ｎ」表記８３ｂとの表記は、受信結果表示８３を含む小時計が設けられる位置に応じて、視認しやすい位置に設けることが好ましい。
【００５２】
次に、第３小時計９０の表示機能について説明する。第３小時計９０の外周には、クロノグラフ機能に関する積算表示（積算時表示９２）と、ワールドタイム機能に関するサマータイム表示９３と、充電量表示９４と、衛星信号の受信禁止表示９５と、衛星信号の受信モード表示９６と、が組み合わされて表示されるように設けられている。
以下の外周の範囲の説明において、「ｎ時方向」（ｎは任意の自然数）とあるが、これは第３小時計９０に表示されている「０」を１２時として外周を１２時間で表した時に、円形の中央から外周をみた方向である。また、「ｎ時方向からｍ時方向までの範囲」（ｎ、ｍは任意の自然数）とあるが、これは第３小時計９０の中心を右回りで表した範囲である。
【００５３】
積算時表示９２は、第３小時計９０の外周において、１２時方向から６時方向までの範囲に設けられている。積算時表示９２には、この範囲を６分割にする目盛と、「０」から「５」までの数字とが表記されている。指針９１は、積算時表示９２を用いて、クロノグラフ機能で積算された時間の「時」を指し示す。
【００５４】
サマータイム表示９３は、第３小時計９０の外周において、６時方向から７時方向までの範囲に設けられている。サマータイム表示９３には、「ＤＳＴ」の英字と「○」の記号とが表記されている。ＤＳＴ（daylight saving time）は夏時間を意味しており、これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定させることができる。
【００５５】
充電量表示９４は、第３小時計９０の外周において、７時方向から９時方向までの範囲に設けられている。充電量表示９４には、外周の円周に沿って、９時方向の基端が太く、７時方向の先端が細い三日月鎌状の記号で、二次電池１３０（図４参照）のパワーインジケーターが表記されている。指針９１は、電池の残量に応じて、基端、中間、先端のいずれかを指し示す。
また、充電量表示９４は、受信許可表示を兼用している。使用者はＡボタン６１を操作し、指針９１が示す先を、後述する受信禁止表示９５から充電量表示９４に移動させることで、電子時計１０に衛星信号を受信させることができる。なお、本実施形態では、受信許可表示は充電量表示９４と兼用されるものとして説明したが、受信許可表示と充電量表示９４とが各々に設けられていてもよい。
【００５６】
受信禁止表示９５は、第３小時計９０の外周において、９時方向から１０時方向までの範囲に設けられている。受信禁止表示９５には、飛行機形状の記号が表記されており、衛星信号の受信禁止設定を表す。航空機の離着陸時は、航空法によって衛星信号の受信が禁止されていることより、この設定を機内モードとも呼ぶ。使用者はＡボタン６１を操作し、指針９１が示す先を移動させて受信禁止表示９５（機内モード）を選択することで、電子時計１０に衛星信号の受信を停止させることができる。
【００５７】
受信モード表示９６は、第３小時計９０の外周において、１０時方向から１２時方向までの範囲に設けられている。受信モード表示９６には、「１」および「４＋」の数字と、記号とが表記されており、これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１は、「１」または「４＋」のいずれかを指し示し、電子時計１０が直前に受信した衛星信号の受信モードを表す。
【００５８】
次にカレンダー表示１５の表示機能について説明する。
カレンダー表示１５は、文字板１１を矩形状に開口した開口部に設けられており、開口部から数字が視認可能となっている。この数字は、年月日の「日」を表す。
【００５９】
なお、本実施形態では、電子時計１０は、文字板１１の中心より１０時方向に設けられている第２小時計８０に、衛星捕捉数表示８２、受信結果表示８３、時刻秒表示８４を備えているものと説明したが、これに限定するものではない。以下に、１０時方向に設けられる小時計が備えることのできる表示について述べる。
【００６０】
小時計は、衛星捕捉数表示８２、受信結果表示８３、時刻秒表示８４の少なくとも二つの表示を備えることができる。
【００６１】
小時計は、衛星捕捉数表示８２と、受信結果表示８３、時刻秒表示８４の少なくとも一つの表示と、を備えることができる。
【００６２】
小時計は、衛星捕捉数表示８２、受信結果表示８３、時刻秒表示８４の少なくとも二つと、積算表示（積算時表示、積算分表示、積算秒表示の少なくとも一つ）と、を備えることができる。
【００６３】
小時計は、衛星捕捉数表示８２と、受信結果表示８３、時刻秒表示８４の少なくとも一つと、積算表示（積算時表示、積算分表示、積算秒表示の少なくとも一つ）と、を備えることができる。
【００６４】
小時計は、衛星捕捉数表示８２、受信結果表示８３、時刻秒表示８４の少なくとも二つと、サマータイム表示、受信モード表示、充電量表示、曜日表示、の少なくとも一つの表示と、を備えることができる。
【００６５】
小時計は、衛星捕捉数表示８２と、受信結果表示８３、時刻秒表示８４の少なくとも一つと、サマータイム表示、受信モード表示、充電量表示、曜日表示、の少なくとも一つの表示と、を備えることができる。
【００６６】
小時計は、衛星捕捉数表示８２、受信結果表示８３、時刻秒表示８４の少なくとも二つと、積算表示（積算時表示、積算分表示、積算秒表示の少なくとも一つ）と、サマータイム表示、受信モード表示、充電量表示、曜日表示、の少なくとも一つの表示と、を備えることができる。
【００６７】
小時計は、衛星捕捉数表示８２と、受信結果表示８３、時刻秒表示８４の少なくとも一つと、積算表示（積算時表示、積算分表示、積算秒表示の少なくとも一つ）と、サマータイム表示、受信モード表示、充電量表示、曜日表示、の少なくとも一つの表示と、を備えることができる
【００６８】
図６は、電子時計の小時計を示す概略平面図である。図６を用いて、文字板１１の中心から１０時方向に設けられる小時計に備えることができる表示の具体的な実施例を示す。
図６（ａ）は、小時計８０ａの概略平面図である。なお、指針の図示は省略する。
小時計８０ａは、衛星捕捉数表示８２ａ、受信結果表示８３、時刻秒表示８４、充電量表示９４ａを備えることができる。衛星捕捉数表示８２ａは、ＧＰＳ衛星８の捕捉数を表す「０」から「１１」までの数字の内、「９」の数字の表記が省略されている。充電量表示９４ａは、ＧＰＳ衛星８の捕捉数を表す「９」の表記が省略された位置に備えられている。充電量表示９４ａは、上述した第３小時計９０に備えられていた充電量表示９４を、１０時方向の小時計８０ａに移設させたものである。
図６（ｂ）は、小時計８０ｂの概略平面図である。なお、指針の図示は省略する。
小時計８０ｂは、衛星捕捉数表示８２ａ、受信結果表示８３、時刻秒表示８４、サマータイム表示９３ｂを備えている。サマータイム表示９３ｂは、ＧＰＳ衛星８の数を表す「９」の表記が省略された位置に備えられている。サマータイム表示９３ｂは、上述した第３小時計９０に備えられていたサマータイム表示９３を、１０時方向の小時計８０ｂに移設させたものである。
【００６９】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間（時差）のタイムゾーンに属している。各タイムゾーンで使用されている標準時は、ＵＴＣと、ＵＴＣとの時差とで求めることができる。
【００７０】
次に、ダイヤルリング４０とベゼル３２とに設けられているタイムゾーン表示４６について説明する。図５に示すように、タイムゾーン表示４６とは、ダイヤルリング４０に表記されている時差表示４５と、ベゼル３２に表記されている都市表示３５と、の総称である。
表面側からの平面視において、ダイヤルリング４０には、時差の基準となる協定世界時を示す「ＵＴＣ」の英字と、タイムゾーンで使用されている標準時とＵＴＣとの時差を表す数値または記号とを表記した時差表示４５が設けられている。
指針２１，２２，２３で指し示された現地時刻と、ＵＴＣとの時差は、リュウズ５０の操作により指針２１の指し示す時差表示４５で確認することができる。なお、本実施形態では、世界協定時は「ＵＴＣ」の英字で表記し、標準時とＵＴＣとの時差は整数および「・」の記号で表記しているが、他の英数字、または記号を用いて表現してもよい。
【００７１】
ベゼル３２には、ダイヤルリング４０に表記されている時差に対応したタイムゾーンの代表都市名を表すコードを表記した都市表示３５が設けられている。本実施形態では、代表都市名に三文字の英字で略したスリーレターコードが使用されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」は北京、「ＴＹＯ」は東京、「ＡＤＬ」はアデレード、「ＳＹＤ」はシドニー、「ＮＯＵ」ネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差表示４５の数字「９」より、東京はＵＴＣ＋９時間の標準時を使用していることを容易に判断することができる。
なお、本実施形態では、表示スペースの制約と視認性の向上との為、一部の時差表示４５の時差に対応する代表都市名の表記は省略されている。また、代表都市名の表記方法は一例であり、他の方法で表記してもよい。
【００７２】
指針２１，２２，２３で表示された現地時刻（内部時刻）のタイムゾーンは、リュウズ５０の操作により指針２１の指し示すタイムゾーン表示４６で確認することができる。例えば、「ＴＹＯ」と「９」とのタイムゾーン表示４６より、現在、使用者は東京を代表都市とする＋９時間のタイムゾーンに居ることがわかる。
【００７３】
次に、電子時計１０の電気的構成について説明する。
図７は、電子時計の電気制御ブロック図である。図７に示すように、電子時計１０は、ＣＰＵ（中央処理装置）１５３、ＲＡＭ（Random Access Memory）１５４、ＲＯＭ（Read Only Memory）１５５を基本構成とする制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図２に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００７４】
受信部１２２は、アンテナ体１１０を備え、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００７５】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信した衛星信号の相関判定を実行して航法メッセージを復調するＢＢ部（ベースバンド部）と、ＢＢ部で復調された航法メッセージからＧＰＳ時刻情報や軌道情報を取得して出力する情報取得部とを備えている。つまり、受信部１２２は、ＧＰＳ衛星８から送信される衛星信号を受信し、受信結果に基づいてＧＰＳ時刻情報と軌道情報とを出力する受信部として機能する。
【００７６】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００７７】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００７８】
情報取得部は、ＢＢ部で復調した航法メッセージからＧＰＳ時刻情報や軌道情報を取得する。航法メッセージには、プリアンブルデータおよびＨＯＷワードのＴＯＷ（Time of Week、「Ｚカウント」ともいう）、サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や軌道情報を取得することができる。
【００７９】
ＲＡＭ１５４とＲＯＭ１５５とは、電子時計１０の記憶部である。
ＲＯＭ１５５には、ＣＰＵ１５３に実行されるプログラムやタイムゾーン情報などが記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御および計時を行う。この計時は、例えば、図示しない発振回路からの基準信号のパルス数を計数することによって行われる。
【００８０】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報と、に基づいて内部時刻を修正する。ＣＰＵ１５３は、内部時刻が示されるように、駆動機構１４０の駆動制御を行う。これにより、電子時計１０には、指針２１，２２，２３（図５参照）で指し示される時刻表示により内部時刻が示される。
【００８１】
なお、本実施形態で説明した入力装置１５７（Ａボタン６１、Ｂボタン６２、Ｃボタン６３、Ｄボタン６４、リュウズ５０）の操作は一例であり、説明と異なる入力装置を用いて操作させてもよい。
【００８２】
また、本実施形態では、衛星信号としてＧＰＳ衛星８から送信される衛星信号（電波）を用いるものとして説明したが、これに限定するのもではない。例えば、ガリレオ（Galileo）、ＧＬＯＮＡＳＳ（Global Navigation Satellite System）などの全地球航法衛星システム（ＧＮＳＳ：Global Navigation Satellite System）の衛星信号（電波）を使用することができる。
【００８３】
以上述べたように、本実施形態に係る電子時計１０によれば、以下の効果を得ることができる。
電子時計１０は、ＧＰＳ衛星８から送信される衛星信号を受信して現在地の位置情報と時刻情報とを算出し現地時刻を表示するワールドタイム機能と、時間を積算して表示するクロノグラフ機能と、を含む多くの機能を備えた腕時計である。電子時計１０の文字板１１には、電子時計１０の備えている複数の機能を視認性良く表示させる円状の第２小時計８０が設けられている。第２小時計８０の外周には、外周を１２分割にする目盛と、衛星の捕捉数を示す「０」から「１１」までの数字と、が表記された衛星捕捉数表示８２と、外周を６０分割にする目盛が表記された時刻秒表示８４と、が設けられている。第２小時計８０の内周には、衛星信号の受信結果表示８３が設けられている。電子時計１０は、第２小時計８０を用いて複数の機能の表示を設けることにより、その表示の視認性と小時計を使用したデザインによる時計の美観とを向上させることができる。また、電子時計１０の第２小時計８０は、文字板１１の中心と９時位置とを結ぶ直線に重なる位置に備えられている。これにより、使用頻度の高い積算分表示７２（第１小時計７０）とカレンダー表示１５とを、文字板１１の１２時位置と６時位置とを結ぶ直線の３時側の視認性の良い領域に配置させることができる。したがって、視認性と美観とを両立させて、多くの機能を表示させることが可能な電子時計１０を提供できる。
【符号の説明】
【００８４】
８…ＧＰＳ衛星、１０…電子時計、１１…文字板、１５…カレンダー表示、２１，２２，２３，７１，８１，９１…指針、２４…時刻分表示、２５…指針軸、３０…外装ケース、３１…ケース、３２…ベゼル、３３…カバーガラス、３４…裏蓋、３５…都市表示、４０…ダイヤルリング、４５…時差表示、４６…タイムゾーン表示、５０…リュウズ、６１…Ａボタン、６２…Ｂボタン、６３…Ｃボタン、６４…Ｄボタン、７０…第１小時計、７２…積算分表示、８０…第２小時計、８０ａ，８０ｂ…小時計、８２，８２ａ…衛星捕捉数表示、８３…受信結果表示、８４…時刻秒表示、９０…第３小時計、９２…積算時表示、９３，９３ｂ…サマータイム表示、９４…充電量表示、９５…受信禁止表示、９６…受信モード表示、１１０…アンテナ体、１２０…回路基板、１２２…受信部、１２５…地板、１３０…二次電池、１３５…ソーラーパネル、１４０…駆動機構、１５０…制御部、１５３…ＣＰＵ、１５４…ＲＡＭ、１５５…ＲＯＭ、１５７…入力装置、１５９…データバス。
【図１】
2015169499.tif 000003
【図２】
2015169499.tif 000004
【図３】
2015169499.tif 000005
【図４】
2015169499.tif 000006
【図５】
2015169499.tif 000007
【図６】
2015169499.tif 000008
【図７】
2015169499.tif 000009